(57)【要約】【課題】印刷機を用いることなく情報の表示が可能な薬袋を提供することにより、大きさや材質に制限されずに、更には裸のままの錠剤などもそのまま収容可能な薬袋を提供する。【解決手段】少なくとも一部に薬剤情報を表示するための電子ペーパー１１を用いる。また、電子ぺーバー１１により袋状または箱状のの薬袋本体１２の前面または後面が形成されている構成、電子ぺーバー１１が袋状または箱状の薬袋本体１２の前面または後面に着脱自在に固着されている構成、更に、ＩＣチップ２０を付設する。【選択図】図１
0003118213.tif 000002
【実用新案登録請求の範囲】
【請求項１】
少なくとも一部に薬剤情報を表示するための電子ペーパーを配置したことを特徴とする電子ペーパーを用いた薬袋。
【請求項２】
前記電子ぺーバーにより袋状または箱状の薬袋本体の前面または後面が形成されている請求項１記載の電子ペーパーを用いた薬袋。
【請求項３】
前記電子ぺーバーが袋状または箱状の薬袋本体の前面または後面に着脱自在に固着されている請求項１記載の電子ペーパーを用いた薬袋。
【請求項４】
前記電子ペーパーに裸状の薬剤を密封状態で収容可能な密封袋が付設されている請求項２または３記載の電子ペーパーを用いた薬袋。
【請求項５】
ＩＣチップを付設した請求項１，２，３または４記載の電子ペーパーを用いた薬袋。
【考案の詳細な説明】
【技術分野】
【０００１】
本考案は、医師により作成された処方箋に基づいて医院や薬局で調剤或いは処方された薬剤を患者に渡すために用いられる薬袋に関するものである。
【背景技術】
【０００２】
従来、薬局では病院や医院の医師により処方された薬剤につき、その形状、用法、用量、効能、副作用などの薬剤情報ならびに患者の個人情報などを表示したものが知られており、例えば登録実用新案第３０３０２６９号公報、登録実用新案第３０６２３３３号公報、登録実用新案第３０６８７１８号公報等に提示されている。
【０００３】
これらの公報に提示されている薬袋は、前記薬剤情報や患者情報などをコンピュータなどによりキーボードや音声入力により、更にはデータベースや所定のフォーマットを有する印刷アプリケーションソフト等を用いたりして印刷機により印刷するものが一般的である。
【０００４】
従って、これらの薬袋は、表面に記載される個人情報や薬剤情報を印刷機を用いて印刷することから印刷機に適合するものに限られ、更に、印刷の際の用紙の種類や大きさの選択等、印刷作業の煩雑さを回避することから旧来の手書きにより作成されているものと同じく例えば２種類程度の所定の大きさを有する紙製のものが用いられている。
【０００５】
そのため、前記従来の薬袋は価格的には廉価に提供することができるという利点をゆうしているが、反面多くの問題点を有している。即ち、まず、従来の薬袋に表示される情報は印刷機により印刷されるものであり、それらの情報は薬袋に収容する薬剤に合わせて表示されるものではなく、印刷される用紙、（薬袋）毎に定められる一定の印刷フォーマットに患者情報および薬剤情報を入力して印刷されるものであり、薬袋に収容する薬剤に合わせて表示されるものではない。そのため、例えば１つの薬袋ごとに１つの薬剤情報を表示するものが殆どあり、この場合には処方される薬剤の種類だけ薬袋が必要であり、経済面並びに作成作業の面で負担が大きい、また、多数の薬袋を渡された患者も持ち帰るのに面倒であるとともに、持ち帰った後の整理や保管も容易でない。
【０００６】
また、多数種類の薬剤を１つの大きな薬袋に収容して患者に渡すことも可能であるが、多数種類の薬剤情報を１つの薬袋に全て表示するのは困難であり、別途の用紙に薬剤情報を表示したものを添付することになり、患者はその情報用紙と薬袋の中に収容された薬剤とを一々確認する必要があり、きわめて煩雑で面倒である。
【０００７】
更に、従来の紙製の薬袋は、保存性が悪いことから、従来から保存性に優れたパラフィン紙や合成樹脂シートにより封じたり、アルミシートと合成樹脂シートとの複合シートによりシールしたものが用いられており、薬剤価格が高くなる要因の一つとなっている。
【考案の開示】
【考案が解決しようとする課題】
【０００８】
本考案は、上記のような問題点を解決するためになされたものであり、印刷機を用いることなく情報の表示が可能な薬袋を提供することにより、大きさや材質並びに形状に制限されずに、更には裸のままの錠剤などもそのまま収容可能な薬袋を提供することを課題とする。
【課題を解決するための手段】
【０００９】
そこで、前記課題を解決するため本考案である薬袋は、少なくとも一部に薬剤情報を表示するための電子ペーパーを配置したことを特徴する。
【００１０】
また、前記電子ぺーバーにより袋状または箱状の薬袋本体の前面または後面が形成されている構成、前記電子ぺーバーが袋状または箱状の薬袋本体の前面または後面に着脱自在に固着されている構成、更に、前記袋状または箱状の薬袋本体に裸状の薬剤を密封状態で収容可能な密封袋が形成されていると好ましい。
【００１１】
更にまた、患者に対する詳細な薬剤情報などをデジタル情報として記録可能であり、患者において携帯電話やパソコンにより画像や動画、更には音声を含めて再生することができ、特に、ＩＣチップを付設した場合には、これらの機能が更に充実する。
【考案の効果】
【００１２】
本考案によると、薬剤情報を電子ペーパーに表示することにより、従来のように所定の形状の紙製のものを使用する必要がなく、大きさや材質並びに形状、更には表示する薬剤情報の内容に制限がなくなる。従って、患者に渡す薬剤に応じた薬袋を提供することができる。
【００１３】
特に、電子ペーパーの部分に表示する薬剤情報は薬袋ごとに形式に囚われず任意の表現が可能であり、加えて薬袋自身も自由に形成することが可能で密封袋を用いて裸のままの収納もできるので薬価の低減を図ることもでき、特に、電子ペーパーの部分は書き換えが可能であることから再利用が可能であり、必要に応じて殺菌処理も可能である。
【００１４】
更に、電子ペーパーには画像や動画、更には音声を含めた薬剤情報などを読み取り機器で読み取って再生することができ、ＩＣチップを付設した場合には、これらの機能を更に充実したものとすることもできる。
【考案を実施するための最良の形態】
【００１５】
次に、図面を参照して本考案の実施形態を説明する。
【００１６】
図１および図２は、本考案における薬袋の第１の実施形態を示すものであり、薬袋１は全体が適宜の合成樹脂フィルムにより形成され、表面部が電子ペーパー１１を構成している。
【００１７】
更に詳しく説明すると、薬袋１はそれぞれ合成樹脂シート（生分解性のものが後で処理する場合に好ましい）からなる表面部１２と裏面部１３とを底辺縁部１４および左右の側辺縁部１５，１６において互いに接合させて袋状とし、頂辺１７に開閉自在の密封機構１８を開口部１９が形成されており、前記表面部１２に形成された電子ペーパー１１は、例えば前後２枚の合成樹脂シート１１１，１１２の間にマイクロカプセル化した液晶表示材１１３とシート状の光導電材１１４とを挟んで、前後の透明電極１１５，１１６電圧を印可しながら光を照射して光導電材１１４の抵抗を変化させ、液晶への分圧を制御して表示させるものなどが知られているが、これに限らず、メモリー性を有していて、光の照射などの簡単な手段で一旦情報を書き込んで表示させると、電源供給を停止しても長時間にわたってその情報を保持して表示し続けることができるものであれば他の形式のものであってもよい。
【００１８】
また、本実施形態では、ＩＣチップ２０が設けられており画像や動画、更には音声を含めて記憶させることができる。尚、図面中符号２０１，２０１はＩＣチップ２２の入出力端子である。
【００１９】
以上の構成を有する本実施形態の薬袋１は、電子カルテ、電子薬歴、レセプトコンピュータ或いは調剤薬局などに配置されたコンピュータに入力された患者情報や薬剤情報が、必要であれば更に詳しい医療情報等を電子ペーパー書込機（図示せず）を用いて前記電子ペーパ１１に書き込まれる。
【００２０】
この時、同時にＩＣチップ２０に必要な情報を入力すると効率よく入力作業をすることができ。特に、ＩＣチップ２０として例えばＲＦＩＤなど非接触式のものを用いると面倒な接続作業が必要でなく、電子ペーパー１１への書き込みと同時にＩＣチップ２０への入力も行えるので便利である。
【００２１】
尚、電子ペーパーへ１１の書き込みは文字だけでなく、図形等も書き込めるので従来の紙製の薬袋に印刷する場合と同様に薬剤の写真などもカラーを含めて表示することが可能であるばかりか各種のパターンを表示することで画像や動画、音声なども例えば携帯電話等の画像取り込み機などを利用して読み取ることも可能であり、印刷機のように所定形状の用紙（薬袋）に限定されないので収容する薬剤の用量に合わせて薬袋１を選択して使用することができ、１剤１袋に限ることも要しない。特に、薬局や医院、更には製薬会社等の宣伝広告なども適宜のパターンで簡単に選択的に挿入することも可能である。
【００２２】
また、情報を書き込んだ電子ペーパー１１は光照射を用いた電子ペーパー書込機（図示せず）により何度でも簡単且つ瞬時に情報を書き替えることができるので、既に使用して回収した電子ペーパーであってもそのまま利用することができる。
【００２３】
このようにして情報が入力された本実施形態においては、従来の薬袋と同様に、頂辺１７に形成した密封機構１８を開放して開口部１９から所定の薬剤を収容し、前記密封機構１８を閉鎖して患者に手渡すことになる。
【００２４】
従って、患者は電子ペーパー１１に表示された薬剤情報に従って服用することになる。また、特に、本実施の形態では薬袋１にＩＣチップ２０が備えられているので、この入出力端子２０１，２０１を介して、携帯電話やパソコンなどの端末機器（図示せず）を接続して、動画や音声を含めて更に詳しい情報を得ることが可能であり、更に必要であれば、ＩＣチップ２０に記録された通信先のアドレスを介して双方向による通信も可能である。
【００２５】
尚、前記各実施形態は、薬剤をそのまま保管しても、或いは患者において取り出して他の容器に保管して服用してもよいが、従来の紙製の薬袋と同様に使い捨ても可能であるが、必要であれば再利用も可能であり、リサイクルの点で優れている。尚、再利用の際に患者自身の薬袋を使用する場合は問題なく、もしも他人の物を用いる場合でも本実施形態のように材質面で再利用の前に消毒・殺菌などの処理をすることも可能であり、衛生上の問題も解消できる。
【００２６】
図３は本考案における薬袋の第２の実施形態を示すものであり、薬袋１を構成する薬袋本体２は前記第１の実施形態と同様に、全体が適宜の合成樹脂フィルム等により形成され、表面部１２が電子ペーパー１１を構成している点において共通であるが、電子ペーパー１１が薬袋本体２と別体に形成されている点が異なる。即ち、薬袋本体２はそれぞれ合成樹脂シートからなる表面部１２と裏面部１３とを底辺縁部１４および左右の側辺縁部１５，１６において互いに接合させて袋状とし、頂辺１７に開閉自在の密封機構１８を開口部１９が形成されており、前記表面部１２には前面に透明なカバーを有するか或いは有していない窓孔１２２を有する前記電子ペーパー１１の差し込み部１２３が形成されている。
【００２７】
このように、本実施形態では、電子ペーパー１１と薬袋本体２と別体に形成されているので、予め電子ペーパー１１部分に書き込みを行い、これを差し込み部１２３に差し込めばよい。
【００２８】
そのため、本実施形態は更に作業が容易であり、また、電子ペーパー１１と薬袋本体２とを別体に形成したので、薬袋本体２の少なく表面部１３の材質を電子ペーパー１１に合致させる必要がなく、例えば図４に示す従来のように紙製の薬袋本体２を用いることもできる。
【００２９】
本実施形態は、前記図１に示した実施形態と異なり、情報を表示する電子ペーパー１１の部分だけを再利用することもできるので、患者は電子ペーパー１１に薬袋本体２も含めて再使用することもできるが、電子ペーパー１１についてだけ再使用することも可能でありこの場合には薬剤の収容部分は従来の紙製のものと同様に新規なものを使用することができるので、更に衛生面での管理が容易であり、実用的である。
【００３０】
図５および図６は本考案における薬袋の第３の実施形態を示すものであり、薬袋１が前記第１の実施形態と同様に、全体が適宜の合成樹脂フィルムにより形成され、表面部が電子ペーパー１１を構成している点において共通であるが、例えば裏面側１４に合成樹脂により形成された前記図１及び図２に示した密封機構１８を開放して開口部１９と同様の機構を有する多数の密封袋３が形成されている。
【００３１】
これらの密封袋３には処方された薬剤を包装することなく裸のままで収容することも可能であり、これらの場合には、薬剤のヒートシールなどによる包装を必要としないので廉価に薬剤を提供することができる。
【００３２】
更に、図７は本考案における第４の実施形態を示すものであり、全体の構成は前記図１に示した実施例とほぼ同様であるが、薬袋本体２が例えば適宜厚さの紙板により形成された箱状である点が異なる。
【００３３】
本実施の形態は従来の紙製の袋状のものに比べ面積に２対して収容容積を大きく形成することが可能であるとともに運搬にも便利であり、安定した状態で保管することもできる。
【００３４】
以上のように本考案である薬袋は電子ペーパーにより個人情報や薬剤情報を表示するようにしたので、従来のコンピュータに所定のフォーマットに入力された所定情報を所定の形状の紙製のものに印刷機により印刷するようにした薬袋と異なり、大きさ、材質、型式などに囚われることがなく、処方される薬剤に合わせて好ましい形状のものを使用することができるばかりか、表示する個人情報や薬剤情報も写真や図などを含めて形式に囚われず患者や処方される薬剤に適した内容を表示することができる。
【００３５】
加えて、電子ペーパーは印刷したものと同様に長期にわたって表示状態を保持することができるばかりでなく、印刷に比べて書き込み作業も非接触式で瞬時に行え容易であり、書き込み機も印刷機のようなメンテナンスやインクなどの消耗品も不要であり、ランニングコストも安くて済む。
【図面の簡単な説明】
【００３６】
【図１】本考案の第１の実施形態を示す全体図。
【図２】図１のＹ−Ｙ線に沿う一部を拡大した断面図。
【図３】本考案の第２の実施形態を示す全体図。
【図４】本考案の第２の実施形態の異なる例を示す全体図。
【図５】本考案の第３の実施形態を表面側からみた全体図。
【図６】図５に示した実施形態を裏面側からみた全体図。
【図７】本考案の第３の実施形態を表面側からみた全体図。
【符号の説明】
【００３７】
１  薬袋、  ２  薬袋本体、  ３  密封袋、  １１  電子ペーパー、  １２  前面、  １３後面、  ２０  ＩＣチップ
【図１】
0003118213.tif 000003
【図２】
0003118213.tif 000004
【図３】
0003118213.tif 000005
【図４】
0003118213.tif 000006
【図５】
0003118213.tif 000007
【図６】
0003118213.tif 000008
【図７】
0003118213.tif 000009